(57)【特許請求の範囲】
【請求項１】
フォルダに含まれるファイルに基づき、一覧表示用情報の生成を行うための生成部と、
前記生成部により生成された一覧表示用情報の表示を行うための表示部と、
複数のファイルフォルダの内の１つのファイルフォルダの選択を受け付ける受付部と、
前記受付部による前記選択の受付に先行して、当該選択を受け付けるファイルフォルダを推定するための所定方式により１つの推定フォルダを特定し、前記生成部を用いて、当該推定フォルダに係る一覧表示用情報の生成を開始する準備部と、
前記受付部により前記選択が受け付けられたファイルフォルダと前記推定フォルダとが一致する場合には、既に生成済みである当該推定フォルダに係る一覧表示用情報を用いて前記表示を行うよう前記表示部を制御する表示制御部と、
前記受付部が最後に選択を受け付けたファイルフォルダを示すフォルダ情報を記憶するフォルダ記憶部とを備え、
前記準備部は、前記フォルダ記憶部に記憶されている前記フォルダ情報が示すファイルフォルダを前記推定フォルダとして特定する
ことを特徴とする携帯端末。
【請求項２】
前記携帯端末は、更に
前記複数のファイルフォルダの内の１つのファイルフォルダにファイルの格納を行う格納部を備え、
前記準備部は、
前記受付部が最後に前記選択を受け付けた時よりも後に、前記格納部が最後に前記格納を行った場合に、当該格納を行ったファイルフォルダを前記推定フォルダとして特定する
ことを特徴とする請求項１記載の携帯端末。
【請求項３】
前記携帯端末は、更に
前記複数のファイルフォルダそれぞれを表す表示物の表示を行うフォルダ表示部を備え、
前記受付部による前記選択は、
前記フォルダ表示部により表示が行われた１つの表示物をユーザが指定することにより受け付けられる
ことを特徴とする請求項１記載の携帯端末。
【請求項４】
前記フォルダ表示部は、
前記フォルダ記憶部に記憶されている前記フォルダ情報が示すファイルフォルダの表示物と、他のファイルフォルダの表示物とが異なる表示態様になるように前記表示を行う
ことを特徴とする請求項１記載の携帯端末。
【請求項５】
携帯端末におけるプロセッサに、表示制御処理を行わせるためのプログラムであって、
前記表示制御処理は、
フォルダに含まれるファイルに基づき、一覧表示用情報の生成を行うための生成ステップと、
前記生成ステップにより生成された一覧表示用情報の表示を行うための表示ステップと、
複数のファイルフォルダの内の１つのファイルフォルダの選択を受け付ける受付ステップと、
前記受付ステップによる前記選択の受付に先行して、当該選択を受け付けるファイルフォルダを推定するための所定方式により１つの推定フォルダを特定し、前記生成ステップを用いて、当該推定フォルダに係る一覧表示用情報の生成を開始する準備ステップと、
前記受付ステップにより前記選択が受け付けられたファイルフォルダと前記推定フォルダとが一致する場合には、既に生成済みである当該推定フォルダに係る一覧表示用情報を用いて前記表示を行うよう前記表示部を制御する表示制御ステップと、
前記受付部が最後に選択を受け付けたファイルフォルダを示すフォルダ情報を記憶するフォルダ記憶ステップとを含み、
前記準備ステップは、前記フォルダ記憶ステップによって記憶された前記フォルダ情報が示すファイルフォルダを前記推定フォルダとして特定する
ことを特徴とするプログラム。
【発明の詳細な説明】
【技術分野】
【０００１】
本発明は、携帯端末に関し、特に、応答時間の改善に関する。
【背景技術】
【０００２】
従来から、ユーザ操作に応じて、コンピュータ内のフォルダに含まれる複数のファイルの一覧を表示させるようなことが行われている。これにより、ユーザは、一覧の中から、所望のファイルを容易に選択することが可能になる。
また、このユーザ操作が行われてから、実際にファイルの一覧表示が行われるまでの時間を短縮するための技術が種々知られている（例えば、特許文献１）。
【０００３】
特許文献１に係るパーソナルコンピュータは、ファイルサーバ上において、ブック（Ｂｏｏｋ）とそれを構成するドキュメント（Ｄｏｃｕｍｅｎｔ）のような階層構造で管理されている文書群の中から、所定のブック名を含む文書を検索して得られたブック一覧を表示し、そのブック一覧に含まれる各ブックの下位層に存在するドキュメント一覧を、バックグラウンドで検索しキャッシュしておくものである。これにより、ユーザがブック一覧から絞込み検索を行った場合に、その結果が表示されるまでの時間を短縮できる。
【先行技術文献】
【特許文献】
【０００４】
【特許文献１】特開平９−３０５４７３号公報
【発明の概要】
【発明が解決しようとする課題】
【０００５】
ところで、近年、携帯電話機等の携帯端末においても、複数のファイルの一覧を表示させるようなことが行われているが、通常、ユーザ操作が行われてから、実際にファイルの一覧表示が行われるまでの時間が比較的長くなるという、従来の問題と良く似た問題が生じている。
しかしながら、上述の特許文献１の方法は、パーソナルコンピュータに対し適用することが想定されており、一般的には、パーソナルコンピュータよりも性能の低いプロセッサやメモリを備える携帯端末には、必ずしも適した方法とはいえない。
【０００６】
そこで、本発明は係る問題に鑑みてなされたものであり、携帯端末に適した従来とは異なる手法で、ユーザ等からファイルフォルダの選択を受け付けてから、そのファイルフォルダに係る一覧表示用情報が表示されるまでの時間を短縮可能な携帯端末を提供することを目的とする。
【課題を解決するための手段】
【０００７】
上記課題を解決するために、本発明に係る携帯端末は、フォルダに含まれるファイルに基づき、一覧表示用情報の生成を行うための生成部と、前記生成部により生成された一覧表示用情報の表示を行うための表示部と、複数のファイルフォルダの内の１つのファイルフォルダの選択を受け付ける受付部と、前記受付部による前記選択の受付に先行して、当該選択を受け付けるファイルフォルダを推定するための所定方式により１つの推定フォルダを特定し、前記生成部を用いて、当該推定フォルダに係る一覧表示用情報の生成を開始する準備部と、前記受付部により前記選択が受け付けられたファイルフォルダと前記推定フォルダとが一致する場合には、既に生成済みである当該推定フォルダに係る一覧表示用情報を用いて前記表示を行うよう前記表示部を制御する表示制御部とを備えることを特徴とする。
【発明の効果】
【０００８】
上記構成を備える本発明に係る携帯端末によれば、ユーザ等からファイルフォルダの選択を受け付けてから、そのファイルフォルダに係る一覧表示用情報が表示されるまでの時間を短縮し得る。
【図面の簡単な説明】
【０００９】
【図１】実施の形態に係る携帯電話機１００の閉状態及び開状態の外観を示す図である。
【図２】携帯電話機１００の固定フォルダ画面ＳＣ１及びカメラフォルダ画面ＳＣ２の表示例を示す図である。
【図３】携帯電話機１００のサムネイル画面ＳＣ３及びプレビュー画面ＳＣ４の表示例を示す図である。
【図４】携帯電話機１００の主要部の機能構成を示すブロック図である。
【図５】メモリカード１３０内のデジカメフォルダの構造例を示す図である。
【図６】携帯電話機１００の画像閲覧アプリケーションの処理を示すフローチャートであり、図７へ続く。
【図７】携帯電話機１００の画像閲覧アプリケーションの処理を示すフローチャートであり、図６から続く。
【図８】変形例１に係る携帯電話機２００の主要部の機能構成を示すブロック図である。
【図９】携帯電話機２００の格納部２２１による格納処理を示すフローチャートである。
【図１０】変形例２に係る携帯電話機３００の主要部の機能構成を示すブロック図である。
【図１１】携帯電話機３００の画像閲覧アプリケーションの処理を示すフローチャートであり、図６から続く。
【図１２】携帯電話機３００の計数部３２１による計数処理を示すフローチャートである。
【図１３】携帯電話機２５０の主要部の機能構成を示すブロック図である。
【発明を実施するための形態】
【００１０】
以下、本発明に係る携帯端末の実施の形態としての携帯電話機について説明する。
≪実施の形態≫
＜概要＞
実施の形態に係る携帯電話機１００は、ユーザ操作に応じて画像閲覧アプリケーションを起動し、起動後にユーザが選択したファイルフォルダに含まれる各画像ファイルのサムネイル画像（以下、「サムネイル画面」という）を表示する機能を有するものである。
【００１１】
ここで、ファイルフォルダとは、ファイルを含むフォルダをいい、この例では、他のフォルダを含まないものとする。なお、以下では、単に「フォルダ」という場合には、他のフォルダを含むフォルダと、ファイルフォルダとの両方を指すこととする。
携帯電話機１００は、画像閲覧アプリケーションが起動された際に、ユーザが選択すると推定されるファイルフォルダ（以下、「推定フォルダ」という）についてのサムネイル画面を構成する描画データ（以下、「サムネイル表示用情報」という）の生成を開始しておく。これにより、ユーザが所望のファイルフォルダを選択した場合において、この選択したファイルフォルダと推定フォルダが一致したときには、既に生成を開始しているサムネイル表示用情報を用いてサムネイル画面を表示することで、ユーザが所望のファイルフォルダを選択した後、サムネイル画面が表示されるまでの時間を短縮できる。
【００１２】
本実施の形態では、前回画像閲覧アプリケーションが起動された際に、最後に選択されたファイルフォルダを推定フォルダとする場合を例に説明する。
＜装置構成＞
まず、携帯電話機１００の装置構成について説明する。
図１（ａ）は、携帯電話機１００の閉状態の外観を示す斜視図であり、（ｂ）は、携帯電話機１００の開状態の外観を示す斜視図である。
【００１３】
携帯電話機１００は、図１（ａ）、（ｂ）に示されるように、第１筐体１と第２筐体２とが相対的に移動可能な、いわゆるスライド式の端末である。
第１筐体１には、ユーザが、画像閲覧アプリケーションの起動指示やフォルダの選択等に用いるジョグキー１１や、１つ前の画面を表示させる指示を行うクリアボタン１２を含むボタン群１０及び表示部１１０が備えられており、第２筐体２には、テンキー２０が備えられている。
【００１４】
＜表示例＞
次に、携帯電話機１００の表示例について説明する。
図２及び図３は、携帯電話機１００の表示例を示す図である。
なお、図２及び図３に示される例では、説明の簡略化のため、携帯電話機１００の画面例のみを示し、携帯電話機１００の筐体などの記載は省略している。
【００１５】
図２（ａ）は、画像閲覧アプリケーションが起動された直後に表示される固定フォルダ画面ＳＣ１を示している。
固定フォルダ画面ＳＣ１には、携帯電話機１００本体の内蔵メモリ内にある各フォルダを表すアイコンｉ１〜ｉ３と、メモリカード内にある各フォルダを表すアイコンｉ４〜ｉ７が含まれており、同図では、「カメラフォルダ」のアイコンｉ４がフォーカスされていることを示している。
【００１６】
同図に示すように、「カメラフォルダ」のアイコンｉ４がフォーカスされた状態で、ユーザがジョグキー１１により決定操作を行うことで、この「カメラフォルダ」を選択することができ、また、同図に示す状態で、ユーザがジョグキー１１により移動操作を行うことで、他のアイコンの位置にフォーカス（斜線部）を移動させることができる。
以下では、例えば、アイコンｉ４が表す「カメラフォルダ」は、他のフォルダを含むフォルダであり、アイコンｉ５が表す「フォトフォルダ」はファイルフォルダであるものとする。
【００１７】
なお、固定フォルダ画面ＳＣ１に示す各アイコンｉ１〜ｉ７が表す各フォルダは、携帯電話機１００のメーカ等によって予め定められたフォルダであり、ユーザは、固定フォルダ画面ＳＣ１に表示させる各アイコンが表すフォルダを変更できないものとする。
図２（ｂ）は、図２（ａ）に示す固定フォルダ画面ＳＣ１において、「カメラフォルダ」のアイコンｉ４が選択された場合に表示されるカメラフォルダ画面ＳＣ２を示している。
【００１８】
カメラフォルダ画面ＳＣ２には、３つのファイルフォルダのアイコンｉ８〜ｉ１０が表示されており、同図では、「１０３ＫＫＣ３Ｘ」ファイルフォルダのアイコンｉ８がフォーカスされていることを示している。同図に示すように、「１０３ＫＫＣ３Ｘ」ファイルフォルダのアイコンｉ８がフォーカスされた状態で、ユーザがジョグキー１１により決定操作を行うことで、この「１０３ＫＫＣ３Ｘ」ファイルフォルダを選択することができ、また、同図に示す状態で、ユーザがジョグキー１１により移動操作を行うことで、他のアイコンの位置にフォーカスを移動させることができる。
【００１９】
図３（ａ）は、「カメラフォルダ」内の「１０３ＫＫＣ３Ｘ」ファイルフォルダに含まれる各画像ファイルについてのサムネイル画面ＳＣ３を示している。
このサムネイル画面ＳＣ３は、図２（ｂ）の状態から、「１０３ＫＫＣ３Ｘ」ファイルフォルダを選択することで表示される。
なお、同図に示す枠ｆｒは、フォーカスされているサムネイル画像を示しており、この例では、サムネイル画像ｇ１がフォーカスされている。同図に示すように、サムネイル画像ｇ１がフォーカスされた状態で、ユーザがジョグキー１１により決定操作を行うことで、図３（ｂ）に示すように、このサムネイル画像ｇ１に対応する画像ファイルを画面全体に表示したプレビュー画面ＳＣ４が表示される。
【００２０】
また、図３（ａ）に示す状態で、ユーザがジョグキー１１により移動操作を行うことで、他のサムネイル画像の位置に枠ｆｒを移動させることができる。なお、同図に示すサムネイル画面ＳＣ３では、一例として１画面に１２個のサムネイル画像を表示している。特に図示して説明しないが、「１０３ＫＫＣ３Ｘ」ファイルフォルダに含まれる画像ファイルの数が１２個より多い場合には、サムネイル画面ＳＣ３の３行目にあるサムネイル画像ｇ２〜ｇ５の位置に枠ｆｒがある状態で、ユーザがジョグキー１１において下を押下する操作を行うことで、１３個目以降の画像ファイルのサムネイル画像からなるサムネイル画面を表示することができる。また、逆に、１３個目以降のサムネイル画像からなるサムネイル画面において、１行目のサムネイル画像の位置に枠ｆｒがある状態で、ユーザがジョグキー１１において上を押下する操作を行うことで、１〜１２個目の画像ファイルについてのサムネイル画像からなるサムネイル画面ＳＣ３を再び表示することができる。
【００２１】
携帯電話機１００は、画像閲覧アプリケーションを終了するユーザ操作を受け付けると、最後に選択されたファイルフォルダを示す情報（以下、「フォルダ情報」という）を更新する。従って、画像閲覧アプリケーションが起動した直後のフォルダ情報は、前回画像閲覧アプリケーションが起動した際に、最後に選択されたファイルフォルダを示すことになる。
【００２２】
携帯電話機１００は、画像閲覧アプリケーションが起動した直後に表示される固定フォルダ画面ＳＣ１等において、フォルダ情報が示すファイルフォルダに対応するアイコンを最初にフォーカスする。
ここで、フォルダ情報が示すファイルフォルダに対応するアイコンとは、フォルダ情報が示すファイルフォルダを表すアイコン、又はフォルダ情報が示すファイルフォルダのパス上にある上位のフォルダを表すアイコンである。
【００２３】
フォルダ情報が示すファイルフォルダに対応するアイコンを最初にフォーカスするのは、ユーザは、前回画像閲覧アプリケーションを起動させた際に最後に選択したファイルフォルダを再び選択する可能性が高いと考えられるためである。
ユーザが所望するファイルフォルダが、携帯電話機１００が最初にフォーカスしたアイコンが表すファイルフォルダと一致するか、そのフォルダに含まれている場合には、ユーザは、フォーカスする位置を移動させる操作を行う必要がないので、より少ない操作で、ユーザは所望のファイルフォルダを選択できる。
【００２４】
また、携帯電話機１００は、固定フォルダ画面ＳＣ１を表示すると共に、フォルダ情報が示すファイルフォルダを推定フォルダとして、サムネイル表示用情報の生成を開始しておくことで、ユーザが選択したファイルフォルダと推定フォルダとが一致した場合に、ユーザが所望のファイルフォルダを選択してからサムネイル画面ＳＣ３を表示するまでの時間を短縮することができる。
【００２５】
＜機能構成＞
図４は、携帯電話機１００の主要部の機能構成を示すブロック図である。
携帯電話機１００は、同図に示すように、表示部１１０、操作部１２０、メモリカード１３０、内蔵メモリ１４０、フォルダ記憶部１４１及び制御部１５０を備える。
なお、同図は、本発明の特徴を実現する上で重要な各機能構成要素の関係を示しており、通常の携帯電話機が備える通信部や、スピーカ、マイク等の図示は省略している。また、携帯電話機１００は、プロセッサ及びメモリを含んで構成されており、制御部１５０の各機能は、上述のメモリに記憶されているプログラムを上述のプロセッサが実行することにより実現される。
【００２６】
ここで、表示部１１０は、液晶ディスプレイ（ＬＣＤ：Liquid Crystal Display）を含み、制御部１５０の指示に応じて、文字等を表示する機能を有する。
操作部１２０は、ボタン群１０及びテンキー２０を含むものであり、ユーザにより押下されたボタン及びキーに対応する入力信号を制御部１５０に送出する機能を有する。
メモリカード１３０は、携帯電話機１００から着脱可能なｍｉｃｒｏＳＤ（登録商標）等の不揮発性のメモリであり、内蔵メモリ１４０は、携帯電話機１００に内蔵された不揮発性のメモリであり、メモリカード１３０及び内蔵メモリ１４０は、画像ファイルを記憶する機能を有する。
【００２７】
以下の説明では、各画像ファイルのファイルフォーマットは、ＪＰＥＧ（Joint Photographic Experts Group）であるものとする。
フォルダ記憶部１４１は、フォルダ情報を記憶するためのメモリ領域である。
制御部１５０は、一般的な携帯電話機が有する機能の他、特に、画像閲覧アプリケーションを実行する機能を有し、フォルダ表示制御部１５１、準備部１５２、生成部１５３、受付部１５４及び生成表示制御部１５５を含んで構成される。
【００２８】
なお、制御部１５０は、例えば、受信メールに添付されていた画像ファイルを保存するといったユーザ操作に応じて、画像ファイルを、ユーザが指定する保存先（メモリカード１３０又は内蔵メモリ１４０）に、格納する機能も有する。
ここで、フォルダ表示制御部１５１は、操作部１２０から受領した入力信号に応じて、表示部１１０に、固定フォルダ画面ＳＣ１やカメラフォルダ画面ＳＣ２を表示させる機能を有する。
【００２９】
準備部１５２は、操作部１２０から画像閲覧アプリケーションを起動するユーザ操作を示す信号を受領した際に、フォルダ記憶部１４１に記憶されたフォルダ情報に基づいて推定フォルダを特定し、推定フォルダについてのサムネイル表示用情報の生成を、生成部１５３に指示する機能を有する。
生成部１５３は、準備部１５２又は生成表示制御部１５５の指示に従って、１つのファイルフォルダに含まれる各画像ファイルに基づいて、サムネイル表示用情報を生成する機能を有する。
【００３０】
受付部１５４は、操作部１２０から受領する入力信号が示すユーザ操作を受け付ける機能を有し、特に、画像閲覧アプリケーションの起動後に、ユーザによるフォルダの選択を受け付ける機能を有する。受付部１５４は、選択されたフォルダがファイルフォルダか否かに応じて、選択されたフォルダを示す情報（以下、「選択フォルダ情報」という）をフォルダ表示制御部１５１と生成表示制御部１５５のいずれかに通知する。
【００３１】
また、受付部１５４は、画像閲覧アプリケーションの終了時に、フォルダ記憶部１４１に記憶されたフォルダ情報を更新する機能を有する。
生成表示制御部１５５は、受付部１５４から通知された選択フォルダ情報が示すフォルダが推定フォルダと一致するか否かを判定する機能を有し、一致しない場合にのみ、生成部１５３にサムネイル表示用情報の作成指示を行う。
【００３２】
また、生成表示制御部１５５は、準備部１５２の指示により、又は上記自らの指示により生成部１５３で生成されたサムネイル表示用情報を表示部１１０に表示させる機能を有する。
＜ファイルフォルダ構造＞
以下、フォルダの一例として、メモリカード１３０に作成されている図２（ａ）のアイコンｉ４が表すデジカメフォルダの物理構造例を簡単に説明する。
【００３３】
図５は、メモリカード１３０内のデジカメフォルダの物理構造例を示す図である。
ここでは、デジカメフォルダは、ＤＣＦ（Design rule for Camera File system）規格に準拠して構成されているものとして説明する。
この例では、デジカメフォルダ内の各画像ファイルは、メモリカード１３０の「ＲＯＯＴ」フォルダ（ディレクトリ）ｆ１直下の「ＤＣＩＭ」フォルダｆ２内の「１０３ＫＫＣ３Ｘ」ファイルフォルダｆ３、「１００ＡＢＣＤＥ」ファイルフォルダｆ４、「１０１ＦＧＨＩＪ」ファイルフォルダｆ５に格納されている。例えば、「１０３ＫＫＣ３Ｘ」ファイルフォルダｆ３内には、「ＫＫＣ３Ｘ０００１．ＪＰＧ」ファイルｆ６〜「ＫＫＣ３Ｘ０１０５．ＪＰＧ」ファイルｆ８が格納されている。
【００３４】
また、前回画像閲覧アプリケーションが起動された際に、最後に選択されたファイルフォルダが、例えば、「１０３ＫＫＣ３Ｘ」ファイルフォルダｆ３である場合には、フォルダ情報は、メモリカード１３０における「１０３ＫＫＣ３Ｘ」ファイルフォルダｆ３のパスを示すように更新されることになる。
＜動作＞
次に、上記構成を備える携帯電話機１００の動作について、図６、図７を用いて説明する。
【００３５】
図６及び図７は、携帯電話機１００の画像閲覧アプリケーションの処理を示すフローチャートである。
なお、携帯電話機１００の運用開始時には、携帯電話機１００のメーカにより、例えば、図２（ａ）のアイコンｉ１が表す「フォトフォルダ」を示すフォルダ情報が、フォルダ記憶部１４１に格納されているものとする。
【００３６】
操作部１２０から画像閲覧アプリケーションを起動させるためのユーザ操作を示す入力信号を受領すると、フォルダ表示制御部１５１は、フォルダ記憶部１４１に記憶されているフォルダ情報を取得し、フォルダ情報が示すファイルフォルダに対応するアイコンをフォーカスした固定フォルダ画面を表示部１１０に表示させる（図６のステップＳ１）。
準備部１５２は、フォルダ記憶部１４１から取得したフォルダ情報が示すファイルフォルダを推定フォルダと特定し（ステップＳ２）、推定フォルダについてのサムネイル表示用情報の生成を生成部１５３に指示する（ステップＳ３）。指示を受けた生成部１５３は、以下のステップＳ４以降の処理とは独立した処理として、サムネイル表示用情報の生成を開始する。より詳細には、生成部１５３は、フォルダ情報が示すファイルフォルダが存在する場所（メモリカード１３０又は内蔵メモリ１４０）のフォルダリストを生成し、フォルダ情報が示すファイルフォルダ内のファイルリストを生成し、そのファイルリストが示す各画像ファイル（ＪＰＥＧファイル）について、その画像ファイルを展開し、その画像を縮小したサムネイル画像を生成し、各サムネイル画像を格子状に並べた描画データ（サムネイル表示用情報）を生成する。
【００３７】
例えば、フォルダ情報が示すファイルフォルダが、「１０３ＫＫＣ３Ｘ」ファイルフォルダである場合に、図５の例では、生成部１５３は、ファイルフォルダｆ３〜ｆ５を示す情報をフォルダリストとして生成し、「１０３ＫＫＣ３Ｘ」ファイルフォルダ内のファイルリストとしてファイルｆ６〜ｆ８を示す情報をファイルリストとして生成する。
なお、図３（ａ）の例では、サムネイル画面ＳＣ３には、１２個のサムネイル画像が表示されているため、ファイルリストに含まれる画像ファイルの情報が１３個以上ある場合には、生成部１５３は、１２個以上の所定数（例えば、２０個）の画像ファイルについてのサムネイル画像を生成しておくものとする。残りの画像ファイルについてのサムネイル画像の生成は、次のサムネイル画面を表示させるユーザ操作に応じて行われるものとする。
【００３８】
受付部１５４は、操作部１２０からの入力信号に基づいて、１つのフォルダが選択された否かを判定する（ステップＳ４）。画像閲覧アプリケーションの起動後、最初にステップＳ４の処理が実行される場合には、ステップＳ１の処理により表示部１１０には固定フォルダ画面が表示されているので、この固定フォルダ画面に含まれる各アイコンの内の１つのアイコンが選択された場合に、受付部１５４は、１つのフォルダが選択された旨の判定（ステップＳ４：ＹＥＳ）を行う。
【００３９】
受付部１５４は、フォルダの選択が行われていない場合には（ステップＳ４：ＮＯ）、再びステップＳ４の処理を行い、フォルダの選択が行われた場合には（ステップＳ４：ＹＥＳ）、そのフォルダがファイルフォルダであるか否かを判定する（ステップＳ５）。
受付部１５４は、例えば、選択されたフォルダが、図２（ａ）に示すアイコンｉ４が表す「カメラフォルダ」であれば、ファイルフォルダでない旨の判定（ステップＳ５：ＮＯ）を行い、図２（ａ）に示すアイコンｉ５が表す「フォトフォルダ」であれば、ファイルフォルダである旨の判定（ステップＳ５：ＹＥＳ）を行う。
【００４０】
選択されたフォルダがファイルフォルダでない場合には（ステップＳ５：ＮＯ）、受付部１５４は、選択されたフォルダを示す選択フォルダ情報をフォルダ表示制御部１５１に通知し、フォルダ表示制御部１５１は、通知された選択フォルダ情報が示すフォルダに含まれる各フォルダを表すアイコンを表示する（ステップＳ６）。例えば、選択されたフォルダが、図２（ａ）に示すアイコンｉ４が表す「カメラフォルダ」であれば、図２（ｂ）に示すようにカメラフォルダ画面ＳＣ２が表示される。
【００４１】
なお、この際、フォルダ表示制御部１５１は、フォルダ記憶部１４１から取得したフォルダ情報が示すファイルフォルダに対応するアイコンがある場合には、このアイコンにフォーカスした状態で、各アイコンを表示する。
ステップＳ６の処理を完了すると、受付部１５４は、再びステップＳ４において、ステップＳ６で表示されたアイコンが選択されたか否かにより、１つのフォルダが選択されたか否かを判定する（ステップＳ４）。
【００４２】
一方、ステップＳ５において、選択されたフォルダがファイルフォルダである場合には（ステップＳ５：ＹＥＳ）、選択されたファイルフォルダを示す選択フォルダ情報を生成表示制御部１５５に通知し、生成表示制御部１５５は、選択フォルダ情報が示すファイルフォルダと、推定フォルダとが一致するか否かを判定する（ステップＳ７）。
選択フォルダ情報が示すファイルフォルダと、推定フォルダとが一致する場合には（ステップＳ７：ＹＥＳ）、生成表示制御部１５５は、生成部１５３により生成された推定フォルダについてのサムネイル表示用情報（描画データ）を、表示部１１０に表示させる（ステップＳ８）。
【００４３】
このサムネイル表示用情報の生成部１５３による生成は、ステップＳ３で準備部１５２からの指示により開始されているため、選択フォルダ情報が示すファイルフォルダと、推定フォルダとが一致する旨の判定（ステップＳ７：ＹＥＳ）を行った際に、既にサムネイル表示用情報の生成が完了していれば、すぐにその表示を行うことができる。
また、選択フォルダ情報が示すファイルフォルダと、推定フォルダとが一致する旨の判定（ステップＳ７：ＹＥＳ）を行った際には、まだサムネイル表示用情報の生成が完了してなくても、完了次第すぐにその表示を行うことができる。
【００４４】
選択フォルダ情報が示すファイルフォルダと、推定フォルダとが一致しない場合には（ステップＳ７：ＮＯ）、生成表示制御部１５５は、選択フォルダ情報が示すファイルフォルダについてのサムネイル表示用情報の生成を生成部１５３に指示し、生成部１５３によるサムネイル表示用情報の生成の完了を待って、生成されたサムネイル表示用情報（描画データ）を、表示部１１０に表示させる（ステップＳ９）。
【００４５】
なお、指示を受けた生成部１５３は、上記ステップＳ３で説明したのと同様に、フォルダリストの生成、選択フォルダ情報が示すファイルフォルダ内のファイルリストの生成、及びサムネイル表示用情報の生成を行う。このとき、もしも、ステップＳ３での準備部１５２による指示による、推定フォルダについてのサムネイル表示用情報の生成をまだ行っていた場合には、この推定フォルダについてのサムネイル表示用情報の生成を中止し、すぐに、ステップＳ９での生成表示制御部１５５の指示による、選択フォルダ情報が示すファイルフォルダについてのサムネイル表示用情報の生成を開始する。
【００４６】
ステップＳ８又はステップＳ９の処理を完了すると、受付部１５４は、操作部１２０からの入力信号に基づいて、画像閲覧アプリケーションの終了操作が行われたか否かを判定し（図７のステップＳ１０）、画像閲覧アプリケーションの終了操作が行われていない場合には（ステップＳ１０：ＮＯ）、受付部１５４は、操作部１２０からクリアボタン１２に対応する入力信号を受領したか否かに基づいて、クリア操作が行われたか否かを判定する（ステップＳ１１）。
【００４７】
受付部１５４は、クリア操作が行われていない場合には（ステップＳ１１：ＮＯ）、再びステップＳ１０の処理を行い、クリア操作が行われた場合には（ステップＳ１１：ＹＥＳ）、クリア操作が行われた旨をフォルダ表示制御部１５１に通知し、フォルダ表示制御部１５１は、１つ前の画面を表示させる（ステップＳ１２）。
この例では、ステップＳ６の処理が行われていれば、ステップＳ６の処理により表示されていた画面を表示させ、ステップＳ６の処理が行われていない場合には、ステップＳ１の処理により表示されていた固定フォルダ画面を表示させることになる。
【００４８】
また、受付部１５４は、ステップＳ４と同様に、１つのフォルダが選択されたか否かを判定し（ステップＳ１３）、１つのフォルダが選択された場合には（ステップＳ１３：ＹＥＳ）、再び図６のステップＳ５から処理を行い、フォルダが選択されていない場合には（ステップＳ１３：ＮＯ）、再びステップＳ１０から処理を行う。
ステップＳ１０において、画像閲覧アプリケーションの終了操作が行われた場合には（ステップＳ１０：ＹＥＳ）、受付部１５４は、フォルダ記憶部１４１のフォルダ情報を、最後に受け付けたファイルフォルダを示すように更新し（ステップＳ１４）、処理を終了する。
【００４９】
≪変形例１≫
実施の形態では、前回画像閲覧アプリケーションが起動された際に、最後に選択されたファイルフォルダを推定フォルダとする例を説明したが、以下では、画像閲覧アプリケーションが起動された時点において、最後に画像ファイルが格納されたファイルフォルダを推定フォルダとする一変形例を説明する。
【００５０】
変形例１に係る携帯電話機は、携帯電話機１００の機能を若干変形したものであるため、以下では、携帯電話機１００との相違点を中心に説明する。
＜機能構成＞
図８は、変形例１に係る携帯電話機２００の主要部の機能構成を示すブロック図である。
【００５１】
同図に示すように、携帯電話機２００は、実施の形態に係る携帯電話機１００の制御部１５０に代えて制御部２２０を備え、更にいわゆるカメラである撮影部２１０を備えるものである。
この制御部２２０は、実施の形態に係る制御部１５０の受付部１５４に代えて受付部２２２を備え、更に格納部２２１を備えるものである。
【００５２】
ここで、格納部２２１は、操作部１２０からの入力信号に基づいて、メモリカード１３０又は内蔵メモリ１４０内のファイルフォルダに画像ファイルを格納する機能を有する。この画像ファイルの格納は、従来同様、ファイルシステムにより行われる。
また、格納部２２１は、画像ファイルを格納した際に、その格納先のファイルフォルダのパスを示すように、フォルダ記憶部１４１のフォルダ情報を更新する機能を有する。
【００５３】
また、受付部２２２は、フォルダ記憶部１４１のフォルダ情報を更新しない点が、実施の形態に係る受付部１５４とは異なるが、その他の機能は、受付部１５４と同様である。
＜動作＞
上記構成を備える携帯電話機２００の動作について説明する。
携帯電話機２００による画像閲覧アプリケーションの処理については、実施の形態で説明した携帯電話機１００による画像閲覧アプリケーションの処理（図６、７）のうち、図７のステップＳ１４の処理を実行しない点以外は同様であるため、説明は省略し、以下では、携帯電話機２００の格納部２２１による格納処理について図９を用いて説明する。
【００５４】
図９は、携帯電話機２００の格納部２２１による格納処理を示すフローチャートである。
同図に示す格納処理は、繰り返し実行されるものとする。
同図に示すように、格納部２２１は、操作部１２０からの入力信号に基づいて、メモリカード１３０又は内蔵メモリ１４０内のファイルフォルダに画像ファイルを保存する操作がなされたか否かを判定する（ステップＳ２１）。
【００５５】
画像ファイルをファイルフォルダに保存する操作としては、例えば、ユーザが、受信したメールに添付されていた画像ファイルを保存する操作や、ユーザが撮影部２１０により撮影を行い、生成された画像ファイルを保存する操作等が挙げられる。
画像ファイルを保存する操作がなされていない場合には（ステップＳ２１：ＮＯ）、格納部２２１は、格納処理を終了し、画像ファイルを保存する操作がなされた場合には（ステップＳ２１：ＹＥＳ）、格納部２２１は、その操作により指定されたファイルフォルダに画像ファイルを格納し（ステップＳ２２）、その画像ファイルの格納先のファイルフォルダのパスを示すように、フォルダ記憶部１４１のフォルダ情報を更新し（ステップＳ２３）、格納処理を終了する。
【００５６】
≪変形例２≫
実施の形態では、前回画像閲覧アプリケーションが起動された際に、最後に選択されたファイルフォルダを推定フォルダとする例を説明したが、以下では、ファイルフォルダ毎に、画像閲覧アプリケーションにおいてそのファイルフォルダが選択された回数を計数し、記憶するようにし、画像閲覧アプリケーションが起動された時点において、選択された回数が最大であるファイルフォルダを推定フォルダとする一変形例を説明する。
【００５７】
以下では、実施の形態に係る携帯電話機１００、変形例１に係る携帯電話機２００との相違点を中心に説明する。
＜機能構成＞
図１０は、変形例２に係る携帯電話機３００の主要部の機能構成を示すブロック図である。
【００５８】
同図に示すように、携帯電話機３００は、実施の形態に係る携帯電話機１００の制御部１５０に代えて制御部３２０を備え、更に回数記憶部３１０を備えるものである。
この制御部３２０は、実施の形態に係る制御部１５０の受付部１５４に代えて変形例１で説明した受付部２２２を備え、更に計数部３２１を備えるものである。
ここで、回数記憶部３１０は、ファイルフォルダ毎に、そのファイルフォルダについて、受付部２２２が選択を受け付けた回数（以下、「選択回数」という）を記憶するためのメモリ領域である。
【００５９】
また、計数部３２１は、受付部２２２がファイルフォルダの選択を受け付ける毎に、回数記憶部３１０に記憶されている、そのファイルフォルダについての選択回数を更新し、選択回数が最大であるファイルフォルダのパスを示すように、フォルダ記憶部１４１に記憶されているフォルダ情報を更新する機能を有する。
＜動作＞
上記構成を備える携帯電話機３００の動作について説明する。
【００６０】
携帯電話機３００による画像閲覧アプリケーションの処理は、実施の形態に係る携帯電話機１００による画像閲覧アプリケーションの処理のうち、図６のステップＳ８、Ｓ９の処理後に、図１１に示すように、計数処理（ステップＳ３０）を行う点と、変形例１の場合と同様に、ステップＳ１４の処理を行わない点が異なる。
以下では、ステップＳ３０で行う計数処理について、図１２を用いて説明する。
【００６１】
図１２は、携帯電話機３００の計数部３２１による計数処理を示すフローチャートである。
同図に示すように、計数部３２１は、図６のステップＳ４で選択されたフォルダ（以下、「選択フォルダ」ともいう）についての選択回数が記憶されているか否かを判定する（ステップＳ３１）。
【００６２】
選択フォルダについての選択回数が記憶されていない場合には（ステップＳ３１：ＮＯ）、その選択フォルダについての選択回数を「１」として、回数記憶部３１０に記憶させ（ステップＳ３２）、選択フォルダについての選択回数が記憶されている場合には（ステップＳ３１：ＹＥＳ）、その選択回数を１増加（インクリメント）させた値に更新する（ステップＳ３３）。
【００６３】
計数部３２１は、回数記憶部３１０に記憶されている各ファイルフォルダについての選択回数のうち、ステップＳ３２又はステップＳ３３の処理後の選択回数が、最大であるか否かを判定する（ステップＳ３４）。
計数部３２１は、最大でない場合には（ステップＳ３４：ＮＯ）、特に何も行わず、計数処理を終了し、最大である場合には（ステップＳ３４：ＹＥＳ）、選択フォルダのパスを示すように、フォルダ記憶部１４１に記憶されているフォルダ情報を更新し（ステップＳ３５）、計数処理を終了する。
【００６４】
≪補足≫
以上、本発明に係る携帯端末を、実施の形態及び変形例１、２に基づいて説明したが、以下のように変形することも可能であり、本発明は上述した実施の形態及び各変形例で示した通りの携帯電話機に限られないことは勿論である。
（１）実施の形態では、前回画像閲覧アプリケーションが起動された際に、最後に選択されたファイルフォルダを推定フォルダとする例を、変形例１では、画像閲覧アプリケーションが起動された時点において、最後に画像ファイルが格納されたファイルフォルダを推定フォルダとする例を説明したが、これらを組み合わせて、以下のように変形してもよい。
【００６５】
即ち、最後に画像ファイルがファイルフォルダに格納された時刻Ｔ１が、前回画像閲覧アプリケーションが起動された際に、最後にファイルフォルダが選択された時刻Ｔ２より後である場合には、最後に画像ファイルが格納されたファイルフォルダを推定フォルダとし、時刻Ｔ１が時刻Ｔ２より前である場合には、最後に選択されたファイルフォルダを推定フォルダとしてもよい。
【００６６】
この変形に係る携帯電話機２５０は、図１３に示すように、変形例２に係る携帯電話機２００の制御部２２０に代えて制御部２５１を備え、この制御部２５１は、制御部２２０の受付部２２２に代えて実施の形態に係る受付部１５４を備えるものである。
携帯電話機２５０による画像閲覧アプリケーションの処理については、実施の形態で説明した携帯電話機１００による画像閲覧アプリケーションの処理（図６、７参照）と同様であり、携帯電話機２５０の格納部２２１の格納処理（図９参照）は、変形例１で説明した通りであるため、説明は省略する。
【００６７】
（２）実施の形態及び各変形例に係る準備部１５２は、画像閲覧アプリケーションの起動毎に、１つのファイルフォルダを推定フォルダと特定するものとして説明した。しかしながら、画像閲覧アプリケーションの起動から、ユーザによりファイルフォルダの選択が行われるまでの間、携帯電話機の内部メモリの容量が許す範囲で、推定フォルダの特定と、その推定フォルダについてのサムネイル表示用情報の生成指示を繰り返すよう準備部１５２を変形し、いずれかの推定フォルダとユーザにより選択されたファイルフォルダとが一致する場合に、この変形に係る準備部の指示により生成部１５３により生成されているサムネイル表示用情報を用いてサムネイル画面を表示するようにしてもよい。
【００６８】
（３）実施の形態及び各変形例では、ファイルフォルダは、他のフォルダを含まないものとして説明したが、ファイルを含んでいれば、他のフォルダを含むものであってもよい。その場合、他のフォルダを含むファイルフォルダについてのサムネイル画面には、例えば、他のフォルダを表すアイコンを含める必要がある。
（４）実施の形態及び各変形例では、生成表示制御部１５５は、本発明に係る一覧表示用情報の一例として、サムネイル表示用情報を表示するものとして説明したが、これに限らず、例えば、ファイル名やファイル生成日時等、ユーザが閲覧したいファイルを特定するために役立つ情報の一覧を表示するようにしてもよい。
【００６９】
また、実施の形態及び各変形例では、各ファイルフォルダに格納されるファイルが、画像ファイルである場合を例に説明したが、他の種類のファイル、例えば、テキストファイルや、動画ファイルや、音声ファイルであってもよい。この場合の一覧表示用情報としては、例えば、各テキストファイルについて、そのテキストファイルの先頭から所定数の文字列を表示したものや、各動画ファイルの先頭のフレーム画像を縮小したサムネイル画像を表示したものや、音声ファイルに係る曲名やアーディスト名等のメタ情報を表示したものとしてもよい。
【００７０】
（５）実施の形態及び各変形例では、ユーザは、ボタン群１０を用いて各種操作を行うものとして説明したが、表示部１１０の表示面上の接触を検出するタッチセンサを設けるよう変形し、このタッチセンサ及び表示部１１０から構成されるいわゆるタッチパネルにより、ユーザは、操作を行うようにしてもよい。
このタッチセンサは、静電容量方式の他、電子ペン等の専用のペンを用いる電磁誘導方式や、２層構造の透明電極からなるマトリクススイッチ方式や、２枚の抵抗膜の１枚に電圧を印加し、他方の抵抗膜において操作した位置に応じた電圧を検知する抵抗膜方式や、振動波の跳ね返りを圧電素子の電圧変化によって検出し、指等の接触を検知する表面弾性波方式や、遮光された赤外線により指等が接触した位置を検出する赤外線方式や、画面に光センサを組み込んで接触位置を検知する光センサ方式等により実現されてもよい。
【００７１】
また、静電容量方式のタッチセンサにより実現する場合、多数の電極パターンをプラスチックやガラス等の基板上に形成し、接触点の近傍の複数の電極パターンによる電流量の比率を計測することで判別する投影型や、導電膜と基板とを有して構成され、基板の隅に電極を設け、導電膜による均一な電界を形成し、指等の接触による隅の端子の電流量の比率を計測して接触位置を判別する表面型等、適宜なものを用いることができる。
【００７２】
（６）実施の形態及び各変形例に係る携帯電話機は、スライド式の携帯電話機であるものとして説明したが、例えば、折りたたみ式や、ストレート式等、他の外観を有する携帯電話機であってもよい。
また、実施の形態及び各変形例に係る携帯電話機は、通常の使用状態において、ユーザから見て、第１筐体１と第２筐体２との位置が上下に移動可能なものとして説明したが、他の方向、例えば左右に移動可能なものとしてもよい。
【００７３】
（７）実施の形態及び各変形例において説明した各構成要素のうち、全部又は一部を１チップ又は複数チップの集積回路で実現してもよいし、コンピュータのプログラムで実現してもよいし、その他どのような形態で実現してもよい。
（８）実施の形態及び各変形例において説明した携帯電話機の処理（図６、７、９、１１、１２参照）をプロセッサに実行させるためのプログラムを、記録媒体に記録し又は各種通信路等を介して、流通させ頒布することもできる。このような記録媒体には、ＩＣ（Integrated Circuit）カード、光ディスク、フレキシブルディスク、ＲＯＭ（Read Only Memory）、フラッシュメモリ等がある。流通、頒布されたプログラムは、機器におけるプロセッサで読み取り可能なメモリ等に格納されることにより利用に供され、そのプロセッサがそのプログラムを実行することにより実施の形態及び各変形例で示した携帯電話機の各機能が実現される。
【００７４】
（９）実施の形態及び各変形例に係る携帯電話機に、上記（１）〜（８）の一部又は全部の変形を組み合わせて適用してもよい。
（１０）以下、更に本発明の一実施形態に係る携帯端末の構成及びその変形例と各効果について説明する。
（ａ）本発明の一実施形態に係る携帯端末は、フォルダに含まれるファイルに基づき、一覧表示用情報の生成を行うための生成部と、前記生成部により生成された一覧表示用情報の表示を行うための表示部と、複数のファイルフォルダの内の１つのファイルフォルダの選択を受け付ける受付部と、前記受付部による前記選択の受付に先行して、当該選択を受け付けるファイルフォルダを推定するための所定方式により１つの推定フォルダを特定し、前記生成部を用いて、当該推定フォルダに係る一覧表示用情報の生成を開始する準備部と、前記受付部により前記選択が受け付けられたファイルフォルダと前記推定フォルダとが一致する場合には、既に生成済みである当該推定フォルダに係る一覧表示用情報を用いて前記表示を行うよう前記表示部を制御する表示制御部とを備えることを特徴とする。
【００７５】
この携帯端末によれば、ユーザ等からのファイルフォルダの選択の受付に先行して、１つの推定フォルダについての一覧表示用情報の生成を開始しておくので、推定フォルダと実際にユーザから選択を受け付けたファイルフォルダとが一致した場合に、選択を受け付けてから、そのファイルフォルダに係る一覧表示用情報が表示されるまでの時間を短縮できる。
【００７６】
また、ユーザ等からのファイルフォルダの選択の受付に先行して、一覧表示用情報の生成を行う対象が１つの推定フォルダなので、比較的容量の少ないメモリ等を備える携帯端末にも有効な方法である。
（ｂ）また、前記携帯端末は、更に前記受付部が最後に選択を受け付けたファイルフォルダを示すフォルダ情報を記憶するフォルダ記憶部を備え、前記準備部は、前記フォルダ記憶部に記憶されている前記フォルダ情報が示すファイルフォルダを前記推定フォルダとして特定することとしてもよい。
【００７７】
ここで、一般的には、ユーザが、最後に一覧表示用情報の生成対象として選択したファイルフォルダは、その次の選択の際にも、再び選択される可能性が高いと考えられる。
この携帯端末によれば、実際に、ユーザから選択を受け付けたファイルフォルダと推定フォルダとが一致する可能性を高めることができるので、ユーザ等からファイルフォルダの選択を受け付けてから、そのファイルフォルダに係る一覧表示用情報が表示されるまでの時間を短縮する可能性を更に高めることができる。
【００７８】
（ｃ）また、前記携帯端末は、更に前記複数のファイルフォルダそれぞれを表す表示物の表示を行うフォルダ表示部を備え、前記受付部による前記選択は、前記フォルダ表示部により表示が行われた１つの表示物をユーザが指定することにより受け付けられることとしてもよい。
この携帯端末によれば、ユーザは、表示された１つの表示物を指定するといった簡単な操作で、１つのファイルフォルダを選択できる。
【００７９】
（ｄ）また、前記フォルダ表示部は、前記フォルダ記憶部に記憶されている前記フォルダ情報が示すファイルフォルダの表示物と、他のファイルフォルダの表示物とが異なる表示態様になるように前記表示を行うこととしてもよい。
この携帯端末によれば、ユーザが、最後に選択したファイルフォルダを再び選択したい場合に、そのフォルダを一目で特定することができる。
【００８０】
（ｅ）また、前記携帯端末は、更に前記複数のファイルフォルダの内の１つのファイルフォルダにファイルの格納を行う格納部を備え、前記準備部は、前記受付部が最後に前記選択を受け付けた時よりも後に、前記格納部が最後に前記格納を行った場合に、当該格納を行ったファイルフォルダを前記推定フォルダとして特定することとしてもよい。
ここで、ユーザが、最後に一覧表示用情報の生成対象としてファイルフォルダを選択した時よりも後に、ファイルの格納が行われた場合には、その格納先のファイルフォルダのほうが、最後に選択されたファイルフォルダよりも、選択される可能性が高いと考えられる。
【００８１】
この携帯端末によれば、実際に、ユーザから選択を受け付けたファイルフォルダと推定フォルダとが一致する可能性を更に高めることができるので、ユーザ等からファイルフォルダの選択を受け付けてから、そのファイルフォルダに係る一覧表示用情報が表示されるまでの時間を短縮する可能性を更に高めることができる。
（ｆ）また、前記携帯端末は、更に前記複数のファイルフォルダ毎に、当該ファイルフォルダについて前記受付部が選択を受け付けた回数を計数する計数部と、前記回数を記憶する計数記憶部とを備え、前記準備部は、前記計数記憶部に記憶されている最大の回数に係るファイルフォルダを前記推定フォルダとして特定することとしてもよい。
【００８２】
ここで、過去にユーザがよく選択し、選択回数の多いファイルフォルダは、次の選択の際にも、再び選択される可能性が高いと考えられる。
この携帯端末によれば、実際に、ユーザから選択を受け付けたファイルフォルダと推定フォルダとが一致する可能性を高めることができるので、ユーザ等からファイルフォルダの選択を受け付けてから、そのファイルフォルダに係る一覧表示用情報が表示されるまでの時間を短縮する可能性を更に高めることができる。
【００８３】
（ｇ）また、前記携帯端末は、更に前記複数のファイルフォルダの内の１つのファイルフォルダにファイルの格納を行う格納部を備え、前記準備部は、前記格納部が最後に前記格納を行ったファイルフォルダを前記推定フォルダとして特定することとしてもよい。
ここで、ユーザが、ファイルフォルダにファイルを格納させた後には、そのファイルフォルダを選択する可能性が高いと考えられる。
【００８４】
この携帯端末によれば、実際に、ユーザから選択を受け付けたファイルフォルダと推定フォルダとが一致する可能性を高めることができるので、ユーザ等からファイルフォルダの選択を受け付けてから、そのファイルフォルダに係る一覧表示用情報が表示されるまでの時間を短縮する可能性を更に高めることができる。
（１１）本発明に係る携帯端末の受付部、生成部、準備部、フォルダ表示部、及び表示制御部は、例えば、実施の形態に係る携帯電話機１００の制御部１５０に相当し、本発明に係る携帯端末の表示部は、例えば、実施の形態に係る携帯電話機１００の表示部１１０に相当し、本発明に係る携帯端末のフォルダ記憶部は、例えば、実施の形態に係る携帯電話機１００のフォルダ記憶部１４１に相当し、本発明に係る携帯端末の格納部は、例えば、変形例１に係る携帯電話機２００や携帯電話機２５０の格納部２２１に相当し、本発明に係る携帯端末の計数部は、例えば、変形例２に係る携帯電話機３００の計数部３２１に相当し、本発明に係る携帯端末の計数記憶部は、例えば、変形例２に係る携帯電話機３００の回数記憶部３１０に相当する。
【産業上の利用可能性】
【００８５】
本発明に係る携帯端末は、１つのフォルダに含まれる複数のファイルについての一覧表示を行う場合に利用される。
【符号の説明】
【００８６】
１    第１筐体
２    第２筐体
１０    ボタン群
１１    ジョグキー
１２    クリアボタン
２０    テンキー
１００、２００、２５０、３００    携帯電話機
１１０    表示部
１２０    操作部
１３０    メモリカード
１４０    内蔵メモリ
１４１    フォルダ記憶部
１５０、２２０、２５１、３２０    制御部
１５１    フォルダ表示制御部
１５２    準備部
１５３    生成部
１５４、２２２    受付部
１５５    生成表示制御部
２１０    撮像部
２２１    格納部
３１０    回数記憶部
３２１    計数部
【図１】
0005561825.tif 000002
【図２】
0005561825.tif 000003
【図３】
0005561825.tif 000004
【図４】
0005561825.tif 000005
【図５】
0005561825.tif 000006
【図６】
0005561825.tif 000007
【図７】
0005561825.tif 000008
【図８】
0005561825.tif 000009
【図９】
0005561825.tif 000010
【図１０】
0005561825.tif 000011
【図１１】
0005561825.tif 000012
【図１２】
0005561825.tif 000013
【図１３】
0005561825.tif 000014